【手続補正書】
【提出日】平成18年12月20日(2006.12.20)
【手続補正１】
【補正対象書類名】明細書
【補正対象項目名】特許請求の範囲
【補正方法】変更
【補正の内容】
【特許請求の範囲】
【請求項１】  透明な容器内に放電電極と共に気体が封入され、前記放電電極に電圧を印加したときに、前記放電電極と前記容器の接地電位部位との間で放電がなされるプラズマ管を備えることを特徴とする遊技機。
【請求項２】  請求項１に記載の遊技機において、
前記プラズマ管には、前記容器の表面に接地電極が設けられ、前記接地電極が放電態様切換スイッチを介して、前記遊技機に設けられた接地ラインに接続されていることを特徴とする遊技機。
【請求項３】  請求項１又は請求項２に記載の遊技機において、
その遊技機は、遊技者が着座したことを検知する着座センサと、遊技者が着座したことを前記着座センサが検知したときに前記放電電極に電圧を印加し、又はその電圧を変化させるプラズマ管制御手段とを備えることを特徴とする遊技機。
【請求項４】  請求項１ないし請求項３のいずれかに記載の遊技機において、
その遊技機が、複数種類の図柄を可変表示可能な可変表示装置と、前記可変表示装置の表示を遊技者が始動又は停止させるための操作手段と、遊技者により所定の遊技媒体が設定されたことを検出して遊技状態を制御する遊技制御手段とを備えたスロットマシン、またはスロットマシンとパチンコ機とを融合したものであり、
前記遊技制御手段が、所定の確率で抽選を行って入賞図柄組み合わせを決定する抽選手段と、前記可変表示装置が停止したときの図柄の組み合わせが前記入賞図柄組み合わせと一致する場合に入賞と判定する入賞判定手段と、前記遊技媒体の賭け数を検出する賭け数検出手段と、その賭け数が所定値以上であるときに前記抽選手段における確率を高める確率変動手段と、前記確率が高められたときに前記プラズマ管の前記放電電極に電圧を印加し、又はその電圧を変化させるプラズマ管制御手段とを備えることを特徴とする遊技機。
【請求項５】  請求項４に記載の遊技機において、
前記遊技制御手段が、通常の遊技である通常遊技状態に制御可能な通常遊技制御手段と、遊技者にとって前記通常遊技状態よりも有利な特別遊技状態に制御する特別遊技状態制御手段と、前記抽選手段により、前記特別遊技状態に移行することのできるボーナス役が当選したときに、前記プラズマ管の前記放電電極に電圧を印加し、又はその電圧を変化させるプラズマ管制御手段とを備えることを特徴とする遊技機。
【請求項６】  請求項４または請求項５に記載の遊技機において、
前記可変表示装置は複数設けられ、前記遊技制御手段は、前記操作手段によって停止された前記可変表示装置の図柄の組み合わせが変動中の１つの可変表示装置を除いて前記入賞図柄組み合わせと一致する場合にリーチ状態と判定するリーチ判定手段と、前記リーチ状態と判定されたときに、前記プラズマ管の前記放電電極に電圧を印加し、又はその電圧を変化させるプラズマ管制御手段とを備えることを特徴とする遊技機。
【請求項７】  請求項４ないし請求項６のいずれかに記載の遊技機において、
前記可変表示装置が、周囲に複数の図柄が表示される複数個の回転リール部を備え、前記プラズマ管が、それぞれの前記回転リール部に対応して１個ずつ設けられており、前記操作手段が、前記可変表示装置の動的表示状態を停止させるための停止ボタンを備え、前記遊技制御手段が、所定の確率で抽選を行って入賞図柄組み合わせを決定する抽選手段と、前記停止ボタンの押し順を決定する押し順抽選手段と、前記押し順抽選手段により前記停止ボタンの押し順が決定されたときに、決定された順序に従って前記停止ボタンに対応する前記回転リール部に対応して設けられた前記プラズマ管の前記放電電極に電圧を印加し、又はその電圧を変化させるプラズマ管制御手段と、前記押し順抽選手段によって決定された押し順に従って遊技者が前記停止ボタンを押したときに、前記入賞図柄組み合わせが停止表示されるように前記可変表示装置を停止させる可変表示装置制御手段と、前記可変表示装置が停止したときの図柄の組み合わせが前記入賞図柄組み合わせと一致する場合に入賞と判定する入賞判定手段とを備えたことを特徴とする遊技機。
【請求項８】  請求項４ないし請求項７のいずれかに記載の遊技機において、
その遊技機は、前記入賞判定手段により入賞が確定したとき、入賞が確定した役の種類に応じて、前記プラズマ管の前記放電電極に電圧を印加し、又はその電圧を変化させるプラズマ管制御手段を備えることを特徴とする遊技機。
【請求項９】  請求項２に記載の遊技機において、
その遊技機は、遊技者が着座したことを検知する着座センサと、遊技者が着座したことを前記着座センサが検知したときに前記放電電極に電圧を印加し、又はその電圧を変化させるとともに、前記放電態様切換スイッチを切り換えることにより前記接地電極と前記接地ラインとのオン・オフを制御するプラズマ管制御手段とを備えることを特徴とする遊技機。
【請求項１０】  請求項２又は請求項９に記載の遊技機において、
その遊技機が、複数種類の図柄を可変表示可能な可変表示装置と、前記可変表示装置の表示を遊技者が始動、又は停止させるための操作手段と、遊技者により所定の遊技媒体が設定されたことを検出して遊技状態を制御する遊技制御手段とを備えたスロットマシン、またはスロットマシンとパチンコ機とを融合したものであり、
前記遊技制御手段が、所定の確率で抽選を行って入賞図柄組み合わせを決定する抽選手段と、前記可変表示装置が停止したときの図柄の組み合わせが前記入賞図柄組み合わせと一致する場合に入賞と判定する入賞判定手段と、前記遊技媒体の賭け数を検出する賭け数検出手段と、その賭け数が所定値以上であるときに前記抽選手段における確率を高める確率変動手段と、前記確率が高められたときに前記プラズマ管の前記放電電極に電圧を印加し、又はその電圧を変化させるとともに、前記放電態様切換スイッチを切り換えることにより前記接地電極と前記接地ラインとのオン・オフを制御するプラズマ管制御手段とを備えることを特徴とする遊技機。
【請求項１１】  請求項１０に記載の遊技機において、
前記遊技制御手段が、通常の遊技である通常遊技状態に制御可能な通常遊技制御手段と、遊技者にとって前記通常遊技状態よりも有利な特別遊技状態に制御する特別遊技状態制御手段と、前記抽選手段により、前記特別遊技状態に移行することのできるボーナス役が当選したときに、前記プラズマ管の前記放電電極に電圧を印加し、又はその電圧を変化させるとともに、前記放電態様切換スイッチを切り換えることにより前記接地電極と前記接地ラインとのオン・オフを制御するプラズマ管制御手段とを備えることを特徴とする遊技機。
【請求項１２】  請求項１０または請求項１１に記載の遊技機において、
前記可変表示装置は複数設けられ、前記遊技制御手段は、前記操作手段によって停止された前記可変表示装置の図柄の組み合わせが変動中の１つの可変表示装置を除いて前記入賞図柄組み合わせと一致する場合にリーチ状態と判定するリーチ判定手段と、前記リーチが確定したと判定されたときに、前記プラズマ管の前記放電電極に電圧を印加し、又はその電圧を変化させるとともに、前記放電態様切換スイッチを切り換えることにより前記接地電極と前記接地ラインとのオン・オフを制御するプラズマ管制御手段とを備えることを特徴とする遊技機。
【請求項１３】  請求項１０ないし請求項１２のいずれかに記載の遊技機において、
前記可変表示装置が、周囲に複数の図柄が表示される複数個の回転リール部を備え、前記プラズマ管が、前記回転リール部の周囲に１個設けられており、前記プラズマ管には、前記容器の表面に前記回転リール部に対応して接地電極が設けられ、前記接地電極が放電態様切換スイッチを介して、前記遊技機に設けられた接地ラインに接続されており、前記操作手段が、前記可変表示装置の動的表示状態を停止又は確定させるための停止ボタンを備え、前記遊技制御手段が、所定の確率で抽選を行って入賞図柄組み合わせを決定する抽選手段と、前記停止ボタンの押し順を決定する押し順抽選手段と、前記プラズマ管の前記放電電極に電圧を印加し、又はその電圧を変化させるとともに、前記押し順抽選手段により決定された前記停止ボタンの押し順に順序に従って、前記停止ボタンに対応する前記回転リール部に対応して設けられた前記接地電極と前記接地ラインとが接続するように前記放電態様切換スイッチを切り換えるプラズマ管制御手段と、前記押し順抽選手段によって決定された押し順に従って遊技者が前記停止ボタンを押したときに、前記入賞図柄組み合わせが停止表示されるように前記可変表示装置を停止させる可変表示装置制御手段と、前記可変表示装置が停止したときの図柄の組み合わせが前記入賞図柄組み合わせと一致する場合に入賞と判定する入賞判定手段とを備えたことを特徴とする遊技機。
【請求項１４】  請求項１０ないし請求項１３のいずれかに記載の遊技機において、
その遊技機は、前記入賞判定手段により入賞が確定したとき、入賞が確定した役の種類に応じて、前記プラズマ管の前記放電電極に電圧を印加し、又はその電圧を変化させるとともに、前記放電態様切換スイッチを切り換えることにより前記接地電極と前記接地ラインとのオン・オフを制御するプラズマ管制御手段を備えることを特徴とする遊技機。